(57)【要約】      （修正有）【課題】必要なデータを必要なタイミングで得る端末装置及び遠隔監視システムを提供する。【解決手段】データを監視装置（３）に送信する端末装置（２）は、監視対象に関するデータを取得する取得部と、監視装置（３）と通信可能な通信部と、保管用のデータを記憶するデータ記憶部と、取得部の取得したデータに関し、データ記憶部に記憶させる第一のデータの種類と、通信部に定期的に送信させる第二のデータの種類と、第二のデータを通信部に送信させる定期送信タイミングと、を含む設定情報が格納されている設定情報記憶部と、取得部の取得したデータを処理して、第一のデータをデータ記憶部に記憶させ、定期送信タイミングが到来したときに、第二のデータを通信部に送信させる送信処理を開始するように構成されているデータ処理部と、を備える。【選択図】図１
2019118080.tif 000002
【特許請求の範囲】
【請求項１】
データを監視装置に送信する端末装置であって、
監視対象に関するデータを取得する取得部と、
前記監視装置と通信可能な通信部と、
保管用のデータを記憶するデータ記憶部と、
前記取得部の取得したデータに関し、前記データ記憶部に記憶させる第一のデータの種類と、前記通信部に定期的に送信させる第二のデータの種類と、前記第二のデータを前記通信部に送信させる定期送信タイミングと、を含む設定情報が格納されている設定情報記憶部と、
前記取得部の取得したデータを処理して、前記第一のデータを前記データ記憶部に記憶させ、前記定期送信タイミングが到来したときに、前記第二のデータを前記通信部に送信させる送信処理を開始するように構成されているデータ処理部と、を備える端末装置。
【請求項２】
前記設定情報記憶部には、前記設定情報として、対応する前記第一のデータを前記データ記憶部に記憶させる記憶タイミングも格納されており、
前記データ処理部は、前記記憶タイミングが到来したときに、対応する前記第一のデータを前記データ記憶部に記憶させる記憶処理を開始するように構成されている請求項１に記載の端末装置。
【請求項３】
前記設定情報記憶部には、前記記憶タイミングとして、前記取得部が前記監視対象に所定のイベントが生じたことを示すイベントデータを取得したときが設定されており、
前記データ処理部は、前記取得部が前記イベントデータを取得したとき、前記記憶処理を開始させるように構成されている請求項２に記載の端末装置。
【請求項４】
前記設定情報記憶部には、前記監視対象に生じたイベントの種類ごとに前記第一のデータの種類が設定されている請求項３に記載の端末装置。
【請求項５】
前記設定情報記憶部には、前記第一のデータとして前記取得部が取得した所定範囲の生のデータが設定され、且つ、前記第二のデータとして前回の前記定期送信タイミングからその時点までに取得された前記生のデータに所定の統計処理を行って得る処理後データが設定されており、
前記データ処理部は、前記所定の統計処理を行って前記処理後データを生成し、前記定期送信タイミングが到来したときに、前記通信部に、前記処理後データを前記監視装置へ送信させる前記送信処理を開始するように構成されている請求項１〜４のいずれか一項に記載の端末装置。
【請求項６】
前記データ処理部は、外部からの指示に応じて、前記データ記憶部に記憶してある前記第一のデータのうち対応するデータを所定の宛先へ送信させるように構成されている請求項１〜５のいずれか一項に記載の端末装置。
【請求項７】
前記設定情報記憶部には、前記第一のデータとして前記監視対象を撮像した動画データが設定され、且つ、前記第二のデータとして前記定期送信タイミングが到来したときに前記監視対象を撮像した画像データが設定されている請求項１〜６のいずれか一項に記載の端末装置。
【請求項８】
請求項１〜７のいずれか一項に記載の端末装置と、当該端末装置と通信ネットワーク接続され少なくとも前記第二のデータを受け取る監視装置と、当該監視装置と通信ネットワーク接続される通信端末とからなる遠隔監視システムであって、前記通信端末は、少なくとも前記第一のデータを前記端末装置から直接取得可能に構成されている遠隔監視システム。
【発明の詳細な説明】
【技術分野】
【０００１】
本発明は、データを監視装置に送信する端末装置、及び、当該端末装置を備える遠隔監視システムに関する。
【背景技術】
【０００２】
例えば、特開２００７−１５６８５８号公報（特許文献１）には、この種の端末装置として、監視対象機器に何らかの異常が発生したときに、その時点の前後の所定時間分の監視対象機器の測定データを監視装置に送信する端末装置が記載されている。この端末装置によれば、異常発生前後の測定データを取得できるので、異常発生前後の監視対象機器の状態を監視装置の側で把握することができる。
【先行技術文献】
【特許文献】
【０００３】
【特許文献１】特開２００７−１５６８５８号公報
【発明の概要】
【発明が解決しようとする課題】
【０００４】
しかし、上記の場合、異常発生時にのみデータが送信されるので、通常時の監視対象機器の状態を把握できない。また、異常発生時には自動で予め定められたデータが送信されるので、その時点で必ずしもユーザにとって確認する必要のないデータも送信される場合があり、確認不要なデータの分だけ通信コストが嵩むことにもなる。また、異常を判断するために異常発生前後のデータを多量に必要とする場合もあり、その場合は必要なデータが欠落したり、必要量を送る場合は通信コストが嵩むという問題が生じる。
【０００５】
そこで、必要なデータを必要なタイミングで得ることができる端末装置の実現が望まれる。
【課題を解決するための手段】
【０００６】
本発明に係る端末装置は、
データを監視装置に送信する端末装置であって、
監視対象に関するデータを取得する取得部と、
前記監視装置と通信可能な通信部と、
保管用のデータを記憶するデータ記憶部と、
前記取得部の取得したデータに関し、前記データ記憶部に記憶させる第一のデータの種類と、前記通信部に定期的に送信させる第二のデータの種類と、前記第二のデータを前記通信部に送信させる定期送信タイミングと、を含む設定情報が格納されている設定情報記憶部と、
前記取得部の取得したデータを処理して、前記第一のデータを前記データ記憶部に記憶させ、前記定期送信タイミングが到来したときに、前記第二のデータを前記通信部に送信させる送信処理を開始するように構成されているデータ処理部と、を備える。
【０００７】
この構成によれば、定期送信させずに記憶部に記憶させておく第一のデータと定期送信に用いる第二のデータとの２種類を設けているので、緊急時等にのみ必要となるデータを第一のデータとし、定期的に必要なデータを第二のデータとすれば、監視装置は、必要なデータを必要なタイミングで得ることが可能になる。
【０００８】
以下、本発明に係る端末装置の好適な態様について説明する。但し、以下に記載する好適な態様例によって、本発明の範囲が限定される訳ではない。
【０００９】
１つの態様として、前記設定情報記憶部には、前記設定情報として、対応する前記第一のデータを前記データ記憶部に記憶させる記憶タイミングも格納されており、前記データ処理部は、前記記憶タイミングが到来したときに、対応する前記第一のデータを前記データ記憶部に記憶させる記憶処理を開始するように構成されていると好適である。
【００１０】
１つの態様として、前記設定情報記憶部には、前記記憶タイミングとして、前記取得部が前記監視対象に所定のイベントが生じたことを示すイベントデータを取得したときが設定されており、前記データ処理部は、前記取得部が前記イベントデータを取得したとき、前記記憶処理を開始させるように構成されていると好適である。
【００１１】
１つの態様として、前記設定情報記憶部には、前記監視対象に生じたイベントの種類ごとに前記第一のデータの種類が設定されていると好適である。
【００１２】
これらの構成によれば、監視対象に運転や故障などのイベントが生じたときなどの必要なタイミングに、これに関連するデータを第一のデータとして記憶させることができる。
【００１３】
１つの態様として、前記設定情報記憶部には、前記第一のデータとして前記取得部が取得した所定範囲の生のデータが設定され、且つ、前記第二のデータとして前回の前記定期送信タイミングからその時点までに取得された前記生のデータに所定の統計処理を行って得る処理後データが設定されており、前記データ処理部は、前記所定の統計処理を行って前記処理後データを生成し、前記定期送信タイミングが到来したときに、前記通信部に、前記処理後データを前記監視装置へ送信させる前記送信処理を開始するように構成されていると好適である。
【００１４】
この構成によれば、定期送信のときには、生のデータについては記憶部に記憶させて、生のデータを統計処理した処理後データを定期送信時に送信するので、通信コストを抑制することができる。
【００１５】
１つの態様として、前記データ処理部は、外部からの指示に応じて、前記データ記憶部に記憶してある前記第一のデータのうち対応するデータを所定の宛先へ送信させるように構成されていると好適である。
【００１６】
この構成によれば、記憶部に記憶させていたデータを、必要なタイミングで、必要な分だけ取得することができるので、通信コストを抑制できる。
【００１７】
１つの態様として、前記設定情報記憶部には、前記第一のデータとして前記監視対象を撮像した動画データが設定され、且つ、前記第二のデータとして前記定期送信タイミングが到来したときに前記監視対象を撮像した画像データが設定されていると好適である。
【００１８】
この構成によれば、定期送信時には通信コストの低い画像データのみを送信し、詳細な動画データについては記憶部に記憶させておくので、通信コストを抑制できる。
【００１９】
本発明に係る遠隔監視システムは、
本発明に係る端末装置と、当該端末装置と通信ネットワーク接続され少なくとも前記第二のデータを受け取る監視装置と、当該監視装置と通信ネットワーク接続される通信端末とからなる遠隔監視システムであって、前記通信端末は、少なくとも前記第一のデータを前記端末装置から直接取得可能に構成されている。
【００２０】
この構成によれば、監視対象（端末装置）に関するデータのうち、監視装置の側では定期配信される第二のデータのみを確認しつつ、端末装置のある現場等で通信端末を介して詳細な第一のデータを取得するなど必要な場所に必要なデータのみを送るようにすることができ、適切に点検や異常時の対応を行うことができる。
【図面の簡単な説明】
【００２１】
【図１】本実施形態に係る端末装置を示すブロック図
【図２】本実施形態に係るデータ処理の概要を示すフローチャート
【発明を実施するための形態】
【００２２】
本発明に係る端末装置の実施形態について、図面を参照して説明する。図１は本実施形態に係る遠隔監視システムを示し、遠隔監視システムは、監視対象１に関するデータを取得する端末装置２と、端末装置２と通信ネットワーク５を介して通信ネットワーク接続され、端末装置２から監視対象１に関するデータを受け取る監視サーバ（監視装置の一例）３と、監視サーバ３と通信ネットワーク６を介して通信ネットワーク接続される通信端末４と、を備えている。そして、本実施形態に係る端末装置２は監視対象１から取得したデータを監視サーバ３に送信するものであり、監視対象１に関するデータを取得する取得部２１と、データ処理部２２と、設定情報を格納する設定情報記憶部２３と、保管用のデータを記憶するデータ記憶部２４と、監視サーバ３と通信可能な通信部２５と、を備えている。通信端末４は監視サーバ３と通信ネットワーク６を介して接続され、監視対象１を管理するユーザ等が利用し、監視サーバ３が提供する所定のウェブサービスを利用して監視対象１に関するデータを閲覧したり、メールなどで異常等のイベント通知を受け取ることが可能になっている。また、通信端末４は、監視サーバ３を介して監視対象に関するデータを受け取るのみならず、端末装置２とブルートゥースなどの近距離通信無線等を介して直接通信接続可能で、端末装置２から監視対象に関するデータを直接送受信可能となっている。
【００２３】
取得部２１は、本実施形態では、制御盤１１から監視対象１を構成する装置の運転／停止や装置の故障などのイベントデータを取得し、センサ１２から監視対象１を構成する装置に関するセンサデータ（温度、圧力、電流など）を取得し、カメラ１３から監視対象１や周囲環境を撮像した画像データを取得し、ビデオカメラ１４から監視対象１や周囲環境を撮像した動画データを取得するようになっている。なお、カメラ１３は設けず、画像データはビデオカメラ１４で取得するようにしてもよい。このうち、イベントデータについては、新たなイベントが生じたとき又は常時取得し、センサデータについては後述の定期送信タイミングの周期よりも短い所定のサンプリング周期で取得し、動画データについては常時取得し、画像データについては後述の定期送信タイミングに合わせて取得するようになっている。
【００２４】
データ処理部２２は、取得部２１の取得した各種のデータを、設定情報記憶部２３に格納した設定情報に従って処理するようになっている。具体的には、設定情報記憶部２３には、設定情報として、データ記憶部２４に記憶させる第一のデータの種類と、第一のデータをデータ記憶部２４に記憶させる記憶処理を開始する記憶タイミングと、通信部２５に定期的に送信させる送信処理を開始する第二のデータの種類と、第二のデータを通信部２５に送信させる定期送信タイミング（例えば１分おきなど）と、を格納してある。そのため、データ処理部２２は、取得部２１の取得したデータを処理して、記憶タイミングが到来したときに、記憶処理を開始して、第一のデータとして設定情報に格納されているデータに対応するデータをデータ記憶部２２に記憶させ、定期送信タイミングが到来したときに、送信処理を開始して、通信部２５に、第二のデータとして設定情報に格納されているデータを監視サーバ３へ送信させるように構成されている。このように、直ちには必要でないが、後に必要となる可能性があるデータを第一のデータとし、定期的に必要なデータを第二のデータとして設定することで、定期的に必要なデータのみを監視サーバ３に送信させつつ、後に必要となりそうなデータを保管しておくことができる。
【００２５】
具体的には、設定情報記憶部２３には、第一のデータとして取得部２１が取得した所定範囲のセンサデータ（生のデータ）と動画データとが設定され、且つ、第二のデータとして前回の定期送信タイミングからその時点までに取得されたセンサデータに所定の統計処理を行って得る処理後データと、定期送信タイミングが到来したときに監視対象１を撮像した画像データが設定されている。これにより、データ処理部２２は、記憶タイミングが到来したときに、対応する範囲のセンサデータをデータ記憶部２４に記憶させる記憶処理を開始し、定期送信タイミングが到来したときに、所定の統計処理を行って処理後データを生成し、通信部２５に、処理後データを監視サーバ３へ送信させる送信処理を開始するようになっている。つまり、定期送信タイミングでは、生のセンサデータや動画データではなく、センサデータを統計処理した処理後のデータと定期送信タイミングが到来したときの画像データのみを送信するので通信コストが抑えられ、かつ、詳細な生のセンサデータや動画データについてはデータ記憶部２４に保管されるようになっている。なお、図示は省略してあるが、データ処理部２２には、取得されたセンサデータを所定時間分格納できるリングバッファが設けられており、リングバッファに格納されたセンサデータのうち、前回の定期送信タイミングからその時点までに取得されたセンサデータに対して統計処理を行って処理後のデータを求めるようになっている。また、第一のデータとしてデータ記憶部２４に記憶させるセンサデータの範囲は、例えば記憶タイミング到来時の前後の所定範囲のセンサデータや動画データであり、データ処理部２２は、記憶処理として、第一のデータとして記憶させる範囲のセンサデータや動画データがリングバッファに格納された後に、対応する範囲のデータをデータ記憶部２４に記憶するようになっている。
【００２６】
また、データ記憶部２４に保管された詳細なデータが必要となるのは、監視対象１に異常や故障などの何らかのイベントが生じたときであるので、設定情報記憶部２３には、記憶タイミングとして、取得部２１が監視対象１に所定のイベントが生じたことを示すイベントデータを取得したときが設定され、且つ、監視対象１に生じたイベントの種類ごとに第一のデータの種類が設定されている。そして、データ処理部２２が、取得部２１がイベントデータを取得したとき、当該イベントデータに対応する種類の第一のデータをデータ記憶部２４に記憶させる記憶処理を開始するようになっている。なお、データ処理部２２は、データ記憶部２４に、第一のデータとして記憶させるデータをイベントデータの種類とそのイベントデータを取得した日時と関連付けて記憶するようになっている。これにより、記憶されているデータがどの時間にどのイベントと関連付けて記憶されたかがわかるようになっている。
【００２７】
そして、データ処理部２２は、監視サーバ３や通信端末４などの外部からの指示に応じて、データ記憶部２４に記憶してある第一のデータのうち、当該指示に対応するデータを監視サーバ３や通信端末４等の所定の宛先へ送信させるように構成されている。具体的には、本実施形態では、データ処理部２２は、取得部２１がイベントデータを取得したとき、記憶処理を開始させるとともに、通信部２５に、監視サーバ３に対して、イベントが発生したことの通知を行うようになっており、監視サーバ３がその通知を受け取ったとき、監視サーバ３に表示されている監視画面上に、イベントが生じたこととともに、データ記憶部２４に記憶されている第一のデータを取得するかどうか、また、取得するとした場合にはどの範囲のデータを取得するかを選択するためのアイコン等が順次表示されるようになっている。そして、監視画面上で第一のデータを取得することと、取得するデータの範囲が選択されると、監視サーバ３からデータの要求が端末装置２に送られ、データ処理部２２は、監視サーバ３からのデータの要求の内容に応じて、対応するデータを監視サーバ３に送信するようになっている。また、イベント発生時のみならず、監視サーバ３からの要求に応じて、データ処理部２２が、データ記憶部２４に記憶されている各データに対応するイベントのリストを監視サーバ３に送信するようにして、監視サーバ３においてそのリストの中からデータの送信を求めるイベントとそのデータの範囲の選択があったときに、その選択に対応するデータを通信部２５から監視サーバ３に送信するようにしてもよい。なお、監視サーバ３のみならず、ＰＣやタブレット、スマートフォン等の他の通信端末４と端末装置２との間で監視サーバ３を介して同様の処理が行われるようにしてもよい。
【００２８】
また、監視サーバ３を介することなく、他の通信端末４が直接端末装置２との間でデータを直接送受信して同様の処理を行うようにしてもよい。この場合、センサの生のデータや動画など、情報量の多い第一のデータを端末装置２から直接取得することができるので、端末装置２と監視サーバ３との間の通信負荷を下げることができる。また、多数の端末装置２が接続されている遠隔監視システムでは、各端末装置２に割り当てられる通信量に制限があったり、あるいは、定期送信間隔が短く、次の第二のデータの送信タイミングまでに第一のデータを送ることができないシステムであっても、端末装置２のある現場に行けばセンサの生のデータや動画を取得できるので、監視対象１の状態を詳細に確認することができる。このとき、通信端末４が、イベントのリストを受け取り、リストの中からデータの送信を求めるイベントを選択すると、端末装置２からそのイベントに対応付けられた第一のデータを受け取るようにしてもよい。イベントのリストは端末装置２から受け取ってよいが、監視サーバ３からイベントがあった場合にリストを受け取るようにしておくと、異常等のイベントがあった場合に現場に行って確認すればよいので、より好適である。また、端末装置２と監視サーバ３や通信端末４などの他の装置とを直接接続し、データ記憶部２４に記憶されるデータを、他の装置の記憶部に直接コピーするようにしてもよい。
【００２９】
図２を用いて、端末装置２と、監視サーバ３や通信端末４との間のデータ処理の流れの一例を説明すると、まず定期送信タイミングが到来すると、端末装置２では、前回の定期送信タイミングからその時点までに取得されたセンサデータの統計処理が行われ（Ｓ１）、その後処理後データと画像データが監視サーバ３に送信される（Ｓ２）。また、監視対象１にイベントの発生があったとき（Ｓ３）、制御盤１１から端末装置２にイベントデータの送信がある（Ｓ４）。そして、端末装置２は、イベントデータを取得すると、異常等のイベントが発生したことの通知（イベント発生通知）を監視サーバ３に送信し（Ｓ５）、また、当該イベントに対応する範囲のセンサデータや動画データを記憶する（Ｓ６）。その後、監視サーバ３に対する詳細データの要求指示があると（Ｓ７）、監視サーバ３から端末装置２へ詳細データの要求が送られ（Ｓ８）、端末装置２は対応する詳細データを監視サーバ３に送信する（Ｓ９）。また、その後、定期送信タイミングが到来すると、データの統計処理と（Ｓ１０）、処理後のデータと画像データが監視サーバ３に送信される（Ｓ１１）。また、監視サーバ３は、端末装置２からイベント発生通知を受信したとき、通信端末４に対しメールなどでイベント発生通知を送信するようになっており（Ｓ１２）、イベント発生通知を受信した通信端末４では、イベント発生通知で送られたイベント、あるいは別途監視サーバ３から取得するイベントリストの中からデータの送信を求めるイベントを選択することで、通信端末４に対する詳細データの要求が可能になっている。そして、通信端末４においてデータの送信を求めるイベントが選択されて通信端末４に対する詳細データの要求指示があると（Ｓ１３）、通信端末４から端末装置２へ詳細データの要求が送られ（Ｓ１４）、端末装置２は対応する詳細データを通信端末４に送信する（Ｓ１５）。このように、本実施形態に係る端末装置２によれば、必要なデータを必要なタイミングで得ることができるようになっている。
【００３０】
〔その他の実施形態〕
なお、監視対象からどのようなデータを取得するか、第一のデータや第二のデータを何にするか、記憶タイミングや定期配信タイミングをどのように設定するかなどは、上記したものに限定されず、目的に応じて、適宜変更可能である。また、記憶タイミングを特に設定せず、第一のデータを連続的に記憶するようにしてもよい。例えば、上記の実施形態では、第二のデータは、定期送信タイミングが到来したときに、前回の定期送信タイミングからその時点までに取得されたセンサデータに所定の統計処理を行って得る処理後データを生成し、その処理後データを監視サーバ３へ送信させる構成を示したが、これに限定されず、定期送信タイミングと処理後データを生成するタイミングとは一致していなくてもよい。例えば、第二のデータの定期送信タイミングを１日に１度として、処理後データを生成するタイミングを１分ごととして、１分ごとに統計処理をして処理後データを生成して、定期送信タイミングが到来したときに、前回の定期送信タイミングから今回の定期タイミングまでの１日分の処理後データを監視サーバ３に送信する構成であってもよい。
【００３１】
また、その他の構成に関しても、本明細書において開示された実施形態は全ての点で例示であって、本発明の範囲はそれらによって限定されることはないと理解されるべきである。当業者であれば、本発明の趣旨を逸脱しない範囲で、適宜改変が可能であることを容易に理解できるであろう。従って、本発明の趣旨を逸脱しない範囲で改変された別の実施形態も、当然、本発明の範囲に含まれる。
【産業上の利用可能性】
【００３２】
本発明は、データを監視装置に送信する端末装置に利用することができる。
【符号の説明】
【００３３】
１        監視対象
２        端末装置
２１      取得部
２２      データ処理部
２３      設定情報記憶部
２４      データ記憶部
２５      通信部
３        監視サーバ（監視装置）
４        通信端末
【図１】
2019118080.tif 000003
【図２】
2019118080.tif 000004